【事件の表示】
　平成１０年特許願第１４３４３９号「後処理テープを有するパンツ型おむつ」拒絶査定に対する審判事件［平成１１年１２月　７日出願公開、特開平１１−３３２９１０］について、次のとおり審決する。
【結　論】
　本件審判の請求は、成り立たない。
【理　由】
１．手続の経緯
　本願は、平成１０年５月２５日の出願であって、平成１２年１２月１９日に拒絶査定がなされ、これに対し、平成１３年１月１８日に拒絶査定に対する審判請求がなされるとともに、平成１３年２月１９日に手続補正がなされたものである。
２．平成１３年２月１９日付の手続補正（以下、「本件手続補正」という。）についての補正却下の決定
［補正却下の決定の結論］
　　平成１３年２月１９日付の手続補正を却下する。
［理由］
（１）本件手続補正は、特許請求の範囲の請求項１を、下記＜補正前の請求項１＞の欄に示すものから、下記＜補正後の請求項１＞の欄に示すものに変更する補正（以下、「本件補正」という。）を含むものである。
＜補正前の請求項１＞
「【請求項１】前身頃と後身頃との両側縁部を接合し、胴開口部および左右一対の脚開口部を有するパンツ型おむつにあって、前記前身頃と後身頃との少なくとも一方の身頃における外面に固定され、おむつの廃棄時止着用の細帯状のテープファスナーであり、その長さ方向をおむつの上下方向に向けてその一端部が前記外面に固定され、かつその長さ方向に折り畳んで前記一方の身頃部内に配置され、前記テープファスナーはその自由端部がおむつの廃棄時に用いる止着部となし、かつその伸展時において前記止着部が前記胴開口部を越えて位置して他方の身頃に止着される構造とされた後処理テープを有し、前記止着部のテープ基材に形成された粘着剤層側面に有色の摘みタブを有し、この摘みタブの先端縁は前記テープ基材の先端縁より長さ方向に突出しており、少なくとも前記テープ基材の前記摘みタブを覆う部分が、透明または半透明であることを特徴とする後処理テープを有するパンツ型おむつ。」
＜補正後の請求項１＞
　「前身頃と後身頃との両側縁部を接合し、胴開口部および左右一対の脚開口部を有するパンツ型おむつにあって、前記前身頃及び後身頃の少なくとも一方の身頃における製品外面に固定され、テープファスナー基材に粘着剤層を有する細帯状のテープファスナーであり、その長さ方向をおむつの上下方向に向けて一端部が前記外面に固定され、かつその長さ方向に折り畳んで前記一方の身頃内に配置され、前記テープファスナーは、おむつの廃棄時において自由端部が前記胴開口部を越えて位置して他方の身頃の製品外面に前記粘着剤層を介して止着される構造とされた後処理テープを有し、前記テープファスナー基材の先端部の粘着剤層側面に、その粘着剤により有色の摘みタブが固定され、前記テープファスナー基材の前記摘みタブを覆う部分及び前記粘着剤層が透明または半透明であることを特徴とする後処理テープを有するパンツ型おむつ。」
（２）本件補正が、特許法第１７条の２第４項第１号、第３号、第４号に規定される事項を目的とするものでないことは明らかである。
（３）本件補正が、特許法第１７条の２第４項第２号に規定される事項を目的とするものといえるか否かについて検討する。本件補正は、請求項１に記載した発明を特定するために必要な事項である「摘みタブ」について、「止着部のテープ基材に形成された粘着剤層側面に有色の摘みタブを有し、この摘みタブの先端縁は前記テープ基材の先端縁より長さ方向に突出しており、」を「前記テープファスナー基材の先端部の粘着剤層側面に、その粘着剤により有色の摘みタブが固定され、」と変更することを含んでいる。そして、当該補正により、補正後の請求項１に記載のパンツ型おむつは、「摘みタブ」がテープ基材の先端縁より長さ方向に突出しないものを含むこととなり、当該補正は特許請求の範囲の減縮を目的とするとはいえない。
　さらに、本件補正は、請求項１に記載した発明を特定するために必要な事項である「テープファスナー」について、「テープファスナーはその自由端部がおむつの廃棄時に用いる止着部となし、かつその伸展時において前記止着部が前記胴開口部を越えて位置して他方の身頃に止着される構造とされた後処理テープを有し」を「テープファスナーは、おむつの廃棄時において自由端部が前記胴開口部を越えて位置して他方の身頃の製品外面に前記粘着剤層を介して止着される構造とされた後処理テープを有し」と変更することを含んでいる。そして、当該補正により、補正後の請求項１に記載のパンツ型おむつは、テープファスナーが伸展しなくても胴開口部を越える場合も含むこととなり、当該補正は特許請求の範囲の減縮を目的とするとはいえない。
　したがって、本件補正は、特許法第１７条の２第４項第２号に規定される事項を目的とするものと認められない。
（４）むすび
　以上のとおり、本件補正は、特許法第１５９条第１項で準用する同法第５３条第１項の規定により却下すべきものである。
３．本願発明について
　平成１３年２月１９日付の手続補正は上記のとおり却下されたので、本願の請求項１〜３に係る発明は、平成１２年２月７日付けの手続補正書によって補正された明細書及び図面の記載からみて、その特許請求の範囲の請求項１〜３に記載されたとおりのものと認められるところ、請求項１に記載された発明（以下、「本願発明」という。）は、次のとおりである。
「前身頃と後身頃との両側縁部を接合し、胴開口部および左右一対の脚開口部を有するパンツ型おむつにあって、前記前身頃と後身頃との少なくとも一方の身頃における外面に固定され、おむつの廃棄時止着用の細帯状のテープファスナーであり、その長さ方向をおむつの上下方向に向けてその一端部が前記外面に固定され、かつその長さ方向に折り畳んで前記一方の身頃部内に配置され、前記テープファスナーはその自由端部がおむつの廃棄時に用いる止着部となし、かつその伸展時において前記止着部が前記胴開口部を越えて位置して他方の身頃に止着される構造とされた後処理テープを有し、前記止着部のテープ基材に形成された粘着剤層側面に有色の摘みタブを有し、この摘みタブの先端縁は前記テープ基材の先端縁より長さ方向に突出しており、少なくとも前記テープ基材の前記摘みタブを覆う部分が、透明または半透明であることを特徴とする後処理テープを有するパンツ型おむつ。」
（１）引用刊行物記載の発明
　これに対して、原査定の拒絶の理由に引用された本願の出願前に頒布された実願平５−１６７２１号（実開平６−７５４４４号）のＣＤ−ＲＯＭ（平成６年１０月２５日出願公開。以下、「引用刊行物１」という。）には、図面とともに以下の事項が記載されている。
（記載ア）「液透過性の表面シート、液不透過性の裏面シート及びこれら両シート間に介在する吸収体とを有し、且つ該前後のウエスト部が左右それぞれ接合されたパンツ型の使い捨ておむつにおいて、上記裏面シートの表面の長手方向に伸びる中央区域に、廃棄時止着用のテープファスナーを設けたことを特徴とする使い捨ておむつ。」（実用新案登録請求の範囲請求項１）
（記載イ）「本考案の使い捨ておむつは、その使用後、おむつを長手方向に巻くようにして丸められ、テープファスナーにより固定されて廃棄される」（第０００８段落）
（記載ウ）「上記テープファスナー１０は、図３（Ａ）に示すように、上記裏面シート３に接合固定される固定部１１と、おむつ廃棄時におむつを丸めて止着するための止着部１２とからなり、該固定部１１及び止着部１２は、それぞれ台紙１３，１３’と該台紙１３，１３’の一面に粘着剤が塗着され形成された粘着層１４、１４’とからなっており、粘着層１４’と当接する台紙１３の表面には剥離処理が施されている。」（第００１８段落）
（記載エ）「上記固定部１１は、その一端が上記台紙１３側に折り曲げられ、また、上記粘着部１２は、その一端が上記粘着層１４’側に折り曲げられている。そして、上記固定部１１における折り曲げられた部分の粘着層１４と上記止着部１２における粘着層１４’とが当接されて、固定部１１及び止着部１２とが固定されており、また、上記止着部１２の粘着層１４’と上記固定部１１の台紙１３における剥離処理が施された面とは、粘着・剥離自在に当接されている。また、上記止着部１２の上記端部は、上記止着部１２の他端部の台紙１３上に当接されてつまみ１５を形成しており、図３（Ｂ）に示すように、該つまみ１５を矢印方向に引き上げることにより、止着部１２を固定部１１から剥離させることができるようになしてある。」（第００１９段落）
（記載オ）「上記台紙１３，１３’を形成する材料としては、フィルム、紙、不織布あるいはこれらの複合材等を好ましく用いることができる。また、上記止着部１２の上記台紙１３’は、上記裏面シート３と同じ素材で形成されていることが特に好ましく、これにより、上記テープファスナー１０の外面がおむつの外面と同様のものとなり、テープファスナーが目立たずに外観上優れたおむつとなる。この場合には、上記固定部１１の台紙１３と上記止着部１２の台紙１３’とを異なる材料で形成することもできる。」（第００２０段落）
（記載カ）「図５に示すテープファスナー１０Ｂは、止着部１２Ｂの一端に他の部材を貼着することにより、つまみ１５Ｂを形成したものである。」（第００２４段落）
　また、図１Ａ、Ｂによれば、引用刊行物１記載の発明のパンツ型使い捨ておむつは、胴開口部および左右一対の脚開口部を有するパンツ型おむつであること、テープファスナーが細帯状であること及びテープファスナーがウエスト部を含むおむつ部分の前後の少なくと一方における外面に固定されていることが明らかであり、さらに、図５によると、つまみ１５Ｂは、テープファスナーの止着部の先端縁から長さ方向に突出しているものと認められる。さらに、図８によれば、テープファスナーの止着部が廃棄時の使用時に胴開口部を越えて位置しているものと認められる。
　そうすると、引用刊行物１には、上記記載ア〜カの事項及び添付図面からみて、「液透過性の表面シート、液不透過性の裏面シート及びこれら両シート間に介在する吸収体とを有し、且つ該前後のウエスト部が左右それぞれ接合された胴開口部および左右一対の脚開口部を有するパンツ型の使い捨ておむつにおいて、ウエスト部を含むおむつ部分の前後の少なくと一方で上記裏面シートの表面の長手方向に伸びる中央区域に固定部と当該固定部の一端に固定された止着部とからなる廃棄時止着用の細帯状のテープファスナーを設け、さらに、固定部および止着部はそれぞれ台紙及び粘着層から構成され、また、テープファスナーの止着部の先端縁から長さ方向に突出した他の部材からなるつまみを設けるとともに、テープファスナーの止着部が廃棄時の使用時に胴開口部を越えて位置しているパンツ型使い捨ておむつ。」の発明（以下、「引用刊行物１記載の発明」という。）が記載されているものと認められる。
　また、原査定の拒絶の理由に引用された本願の出願前に頒布された特開平９−９９０１０号公報（平成９年４月１５日出願公開。以下、「引用刊行物２」という。）には、図面とともに以下の事項が記載されている。
（記載キ）「基部と、該基部に連設された伸長可能な伸長部とを具備してなる伸長テープ。」（特許請求の範囲請求項１）
（記載ク）「本発明は、使い捨ておむつ、生理用ナプキン及び大人用のショーツなどの吸収性物品の廃棄用テープとして好適に用いられる伸長テープ」（第０００１段落）
（記載ケ）「伸長テープ５０’は、図３（ａ）に示すように、テープ基材上に粘着剤を塗布して形成されてなるものであり、その長さ方向に該止着テープ５０を略３等分する２つの折曲部５７において、３つ折りに折り畳まれて、基部５１及びおむつの廃棄時に該おむつを固定する固定部５２が形成されており、該固定部５２の一部が該止着テープ５０としての伸長テープ５０’の長手方向に伸長可能になされている。」（第００２６段落）
（記載コ）「上記の条件を満たす上記基部５１及び上記伸長部５６の形成材料としては、ポリオレフィン系樹脂を溶融押し出しして成形されてなる樹脂フィルムが好ましく用いられる。上記ポリオレフィン系樹脂としては、ポリプロピレンホモポリマー；ポリプロピレンとポリエチレン等との、ブロックコポリマー、ランダムコポリマー、ランダムブロックコポリマー等のポリプロピレンコポリマー；該ポリプロピレンホモポリマーと該ポリプロピレンコポリマーとのブレンド物；高密度ポリエチレン、低密度ポリエチレン、線状低密度ポリエチレン等のポリエチレン；該ポリエチレンと該ポリプロピレンホモポリマー及び／又は該ポリプロピレンコポリマーとのブレンド物等が挙げられる他、これらにオレフィン系、ポリエステル系、ポリアミド系、スチレン系等の種々の熱可塑性エラストマーをブレンドして用いてもよい。また、上記基部５１は、ポリエチレンテレフタレートなどの通常のフィルム、シートに用いられている材料を形成材料として用いて、形成することもできる。」（第００２９段落）
（記載サ）「本形態の生理用ナプキン５０１においては、上記ウイング部５１０が、本発明の伸長テープにより形成されている。即ち、図２３（ｂ）に示すように、上記ウイング部５１０は、ナプキンのバックシート５０３上に固着されている基部５１１と、該基部に連設された伸長部５１２と、該伸長部５１２に摘み部５１３を介して連設された止着部５１４とからなる。また、上記伸長部５１２は、上記基部５１１に折り重ねられており、上記止着部５１４は、上記伸長部５１２に折り重ねられている。また、上記基部５１１、上記伸長部５１２及び上記止着部５１４には、それぞれ、それらの折り重ねられた面に接着剤５１５，５１６，５１７が設けられており、上記基部５１１の表面（上記接着剤５１６と接する面）は剥離処理されており、上記伸長部５１２の表面（上記接着剤５１７と接する面）も剥離処理されている。また、上記摘み部５１３は、上記伸長部５１２の先端と上記止着部５１４の基端とを直接接着して形成されている。なお、該摘み部５１３は、着色するなどして使用時における操作性を向上させることもできる。」（第００７０段落）
　さらに、原査定の拒絶の理由に引用された本願の出願前に頒布された特開平１０−１３０５９２号公報（平成１０年５月１９日出願公開。以下、「引用刊行物３」という。）には、図面とともに以下の事項が記載されている。
（記載シ）「スリットにそってテープを分離した時、前記テープの初期の長さを上回る長さに展開し、前記被着体の第２の部位に前記粘着剤層により固着可能である展開部とからなることを特徴とする延長可能な締結用粘着テープ。」（特許請求の範囲請求項１）
（記載ス）「前記展開部の展開時の末端に摘まみ用タブが設けられていることを特徴とする請求項１に記載の締結用粘着テープ。」（特許請求の範囲請求項２）
（記載セ）「本発明は締結用粘着テープに関し、さらに詳しく述べると、特に使い捨ておむつに適用した時に、嵩張ることがなく、着用時に異物感、違和感等の不快感がなくかつおむつの廃棄時にはコンパクトにまとめることができる締結用粘着テープに関する。」（第０００１段落）
（記載ソ）「粘着テープの矩形の基材は、この技術分野において通常使用されているものを使用することができる。適当な基材としては、例えば、ポリエチレン、ポリプロピレンなどのポリオレフィン、ポリエステル、ポリアミド、ポリウレタン、ポリ塩化ビニル等の合成樹脂のフィルムなどを挙げることができる。場合によっては、天然に産出する材料からのフィルムなどを基材として使用してもよい。これらのフィルムは、通常、単層で用いられるけれども、必要に応じて、積層して用いてもよい。また、粘着剤層の被着を改良するため、基材フィルムの表面をプライマー処理などしてもよい。本発明の粘着テープは、それをおむつの締結に使用した時、展開時に曲げ、引っ張り等のストレスがかかるので、フレキシブルでありかつ引裂強度が大きい基材を使用するのが好ましい。特に好ましい基材の例としては、ポリプロピレンとポリエチレンをブレンドしたものあるいはそれらのブロック共重合体から形成されたフィルムを挙げることができる。」（第００１１段落）
（記載タ）「このテープファスナーは、図４に示すように、固定部４１、止着部４２及び中間部４３の３層からなる３つ折り構造を有していて、さらに摘まみ４４を有している。このテープファスナーは、使用前には折り畳まれた状態にあるけれども、使用時には、図中矢印で示すように摘まみ４４を引き上げて、テープの全体を引き伸ばした状態となる。」（第０００５段落）
（記載チ）「本発明の締結用粘着テープでは、その展開部の展開時の末端に摘まみ用タブを設けるのが好ましい。摘まみ用タブは、好ましくは、例えばＰＥＴフィルム、ＯＰＰフィルム等のマスキングフィルムをもって構成するかもしくは粘着テープの末端部の折り返しをもって構成することができる。摘まみ用タブは、識別しやすくするため、必要に応じて着色してもよい。」（第００１８段落）
４．対比
　本願発明と引用刊行物１記載の発明を対比すると、引用刊行物１記載の発明の前のウエスト部を含むおむつ部分、後のウエスト部を含むおむつ部分は、本願発明の「前身頃」、「後身頃」にそれぞれ相当する（上記記載ア及び添付図面参照。）。また、引用刊行物１記載の発明の前後のウエスト部の左右各部分は、本願発明の「両側縁部」に相当する（上記記載ア及び添付図面参照。）。引用刊行物１記載の「裏面シートの表面」は、おむつの身頃における外面であり、本願発明の「外面」に相当する（上記記載ア及び添付図面参照。）。さらに、引用刊行物１記載の「固定部」は、テープファスナーをおむつに固定する部分であり、本願発明の「一端部」に相当する（上記記載ウ〜オ及び添付図面参照。）。引用刊行物１記載の「止着部」は、おむつ廃棄時におむつを丸めて止着するための部分であり、本願発明の「自由端部」、「止着部」及び「後処理テープ」に相当する（上記記載ウ〜カ及び添付図面参照。）。また、引用刊行物１記載の「台紙」及び「粘着層」は、本願発明の「テープ基材」及び「粘着剤層」にそれぞれ相当する（上記記載ア〜カ及び添付図面参照。）。そして、引用刊行物１記載の「つまみ」は、テープファスナーの止着部の先端縁から長さ方向に突出した他の部材からなり、本願発明の「摘みタブ」に相当する（上記記載エ〜カ及び添付図面参照。）。
　したがって、両者は「前身頃と後身頃との両側縁部を接合し、胴開口部および左右一対の脚開口部を有するパンツ型おむつにあって、前記前身頃と後身頃との少なくとも一方の身頃における外面に固定されるおむつの廃棄時止着用の細帯状のテープファスナーであり、その長さ方向をおむつの上下方向に向けてその一端部が前記外面に固定され、前記一方の身頃部内に配置され、前記テープファスナーはその自由端部がおむつの廃棄時に用いる止着部となし、前記止着部が前記胴開口部を越えて位置して他方の身頃に止着される構造とされた後処理テープを有し、前記止着部のテープ基材に形成された粘着剤層側面に摘みタブを有し、この摘みタブの先端縁は前記テープ基材の先端縁より長さ方向に突出しているパンツ型おむつ。」である点で一致し、以下の点で相違する。
・相違点１
　本願発明のテープファスナーが長さ方向に折り畳んで身頃部内に配置されているのに対し、引用刊行物１記載の発明では、テープファスナーが裏面シートに接合固定される固定部とその一端に固定された止着部からなる点。
・相違点２
　本願発明のテープファスナーは、伸展時において止着部が胴開口部を越えて位置しているのに対して、引用刊行物１に記載された発明においては、その点言及されていない点。
・相違点３
　本願発明の摘みタブは有色であるのに対して、引用刊行物１記載の発明は、その点言及されていない点。
・相違点４
　本願発明の少なくともテープ基材の摘みタブを覆う部分が、透明または半透明であるのに対して、引用刊行物１記載の発明はその点言及されていない点。
５．相違点の判断 
そこで、上記相違点について検討する。
・相違点１について
　使い捨ておむつの使用後に、おむつをテープファスナーで固定するものにおいて、テープファスナーを長さ方向に折り畳んで身頃部内に配置することは、従来周知の事項であり（上記引用刊行物２，３等参照）、引用刊行物１記載の発明において、当該周知の事項を参酌し、テープファスナーをおむつに固定する場合に、長さ方向に折り畳んで身頃部内に配置することは、当業者が容易になし得た事項である。
　したがって、引用刊行物１に記載の発明において、相違点１に係る本願発明のようにすることは、当業者が容易になし得た事項である。
・相違点２について
　引用刊行物１記載の発明も、テープファスナー固定時に、テープファスナーが胴開口部を越えて位置しているものであり（引用刊行物１の図８参照。）、また、上記「相違点１について」において述べたとおり、テープファスナーを折り畳んで身頃部内に配置する構成を採用することが当業者にとって容易になし得たものであるから、相違点１の構成を採用した場合に、テープファスナーは伸展時に当然に止着部が胴開口部を越えて位置するものと認められる。
　したがって、引用刊行物１に記載の発明において、相違点２に係る本願発明のようにすることは、当業者が容易になし得た事項である。
・相違点３について
　上記引用刊行物２には、操作性を考慮して摘みを、引用刊行物３には、識別性を考慮して摘まみ用タブを、それぞれ着色することが記載されている（上記記載サ及びチ参照）。そして、特定部材を他の部分と異なる有色を持たせることにより、他の部分との識別性が付与され得ることが、一般に技術的に常識であることを考慮すると、引用刊行物１に記載の発明において、テープファスナー止着部に他の部材からなるつまみを設ける際に、操作時に他の部分との識別性・操作性を向上するために、上記引用刊行物２又は引用刊行物３に記載されたこれらの技術及び技術常識を適用して、相違点３に係る本願発明のようにすることは、当業者が容易になし得た事項である。
・相違点４について
　本願発明は有色の摘みタブをテープ基材の先端縁より長さ方向に突出させ、摘み部の存在を明瞭に判るようにさせており（本願明細書第０００７、０００８段落参照。）、さらに、相違点４の構成をとることにより、摘みタブの存在を容易に上層を通して視認できるようにするものである（本願明細書第００３０段落参照。）。
　しかしながら、本願発明も引用刊行物１記載の発明も、摘みタブがテープ基材の先端縁より、長さ方向に突出するものであり、その場合に、視認性を高めるために有色の摘みタブを採用した時に、テープ基材の透明度の程度にかかわらず、摘みタブを他と異なる有色部として認識することが可能であると認められる。また、有色の摘みタブがテープ基材から突出している以上、摘みタブの視認性において、テープ基材を透明又は半透明にすることによって、格別の効果を奏するとも認められない。
　加えて、下にある有色の物の存在を明らかにするために、上にある部材を透明なもので構成することは一般に広く知られた事項であり、一般にテープ基材として、透明又は半透明な素材は、従来周知の事項であること、引用刊行物２及び３には、おむつのテープファスナー素材として上記記載コ及びソの事項にもあるように、通常のフィルム、シートに用いる樹脂材料を単独又はブレンドして使用することが記載されていることを勘案すれば、引用刊行物１に記載の発明において、テープ基材を選択する場合に、上記引用刊行物２又は引用刊行物３に記載されたこれらの技術及び従来周知の事項を適用して、相違点４に係る本願発明のようにすることは、当業者が容易になし得た事項である。
　なお、審判請求人は、審判請求書において、「引用文献２及び３には、摘み部を着色することが記載されている。しかし、前述のように、摘み部を着色するとは、前者においては３つ折りテープ基材全体を着色すること、後者については少なくとも上層テープ基材全体を着色することを意味する。」（審判請求書第２頁第２１〜２４行）、「摘み部を着色する引用文献２及び３は少なくともテープ基材全体を着色するものでありますから、引用文献１の別基材からなる摘みタブ１５Ｂを着色することを教示するものではありません。」（審判請求書第３頁第１５〜１７行）と主張している。しかしながら、引用刊行物２において、摘み部５１３が着色されることが明記され、添付図面を参酌すれば摘み部５１３はウイング部５１０のうちの特定の範囲を示しており、また、引用刊行物３においても、摘み用タブが着色されると明記され、添付図面を参酌すれば摘み用タブ５として、特定の範囲を示しているものと認められるから、かかる出願人の主張は採用できない。
　また、審判請求人は、同じく審判請求書において、「通常のテープ止めの紙おむつの止着テープを想定されるとお判りのように、紙おむつにおける通常の止着テープ基材は透明または半透明ではなく、白色顔料を含有するか青や緑など顔料により着色されたポリエチレン、ポリプロピレンなどからなるものであります。したがって、通常のフィルム基材は透明または半透明であるとの審査官殿の先のご認定には、当業者の認識を超えたものであると考えます。」（審判請求書第３頁第９〜１４行）とも主張されているが、引用刊行物２及び３には、おむつのテープファスナー材料として、上記記載コ及びソの事項にもあるように、通常のフィルム、シートに用いる樹脂材料を使用すると記載されていて、テープファスナー材料に顔料を含有させて着色することの記載はなく、また、広く種々の分野で用いられる通常のフィルム基材が透明または半透明なものであることは、従来周知であるとを勘案すれば、かかる出願人の主張は採用できない。
６．むすび
　したがって、本願請求項１に係る発明は、引用刊行物１乃至３に記載された発明および従来周知の技術事項に基づいて当業者が容易に発明をすることができたものであるので、特許法第２９条第２項の規定により特許を受けることができない。
　以上のとおりであるから、本願は他の請求項に係る発明について検討するまでもなく拒絶すべきものである。　
　よって、結論のとおり審決する。